(57)【要約】【課題】袋体となるプラスチックフイルムへの収容物の収容において、袋体を保護する機能をもたせるようにする。【解決手段】袋体となるプラスチックフイルムの内部に、所定形状に打ち抜かれた板紙を箱形形状に構成し中敷きとして収容し、袋体を安定させて袋体を保護する。【選択図】図１
2004224549.tif 000002
【特許請求の範囲】
【請求項１】
袋体となるプラスチックフイルムの内部に、所定形状に打ち抜かれた板紙を箱形形状に構成して中敷きとして収容することにより、袋体の形状を安定させて袋体を保護することを特徴とする組立式箱形中敷き。
【請求項２】
上記板紙には、少なくともその一面に防水処理が施され、液体を留置することを可能とする加工がなされることを特徴とする請求項１記載の組立式箱形中敷き。
【請求項３】
上記板紙には、液体の吸収を可能とする組成で構成することを特徴とする請求項１記載の組立式箱形中敷き。
【請求項４】
上記板紙には、防臭及び防腐を可能とする成分を添加又は添付することを特徴とする請求項１〜３のいずれか１項に記載の組立式箱形中敷き。
【発明の詳細な説明】
【０００１】
【発明の属する技術分野】
本発明は、袋体となるプラスチックフイルムの内部を保護する中敷きに関する。
【０００２】
【従来の技術】
従来、袋体となるプラスチックフイルムの内部に収容物を入れる場合、その袋体がフイルム状で軟質のため収容物の重量やその形状によっては袋体を破損することがある。また、袋体は軟質のために単体での使用は自立が困難である。そのため、解決方法として、袋体を内袋とする容器に入れるか（例えば、特許文献１参照。）、又は、袋体の保持を可能とする支持具を必要とする（例えば、特許文献２参照。）。あるいは、簡易的に新聞紙や適当な空き箱で袋体の内部を保護し、かろうじて形状を保つ工夫をすることが一般的である。
【０００３】
【特許文献１】
特開平９−１３６７０１号公報（第２−４貢、図２）
【特許文献２】
特開平９−１２１０３号公報  （第２−５貢、図２）
【０００４】
【発明が解決しようとする課題】
しかしながら、上記したように、単体で袋体となるプラスチックフイルムの内部に収容物を入れる場合の問題は、その袋体がフイルム状で軟質のため収容物の重量やその形状によっては袋体を破損すること、軟質のために袋体の単体での自立が困難なこと、一定の形状を保ちにくいために収容物を収納する入れ口が塞がり収容しにくいこと、持つときに不安定な形状になること、不安定なため充分な収容を満たされないことである。さらに、内袋とする容器や支持具を常に身近に置くことには限界があり、新聞紙や空き箱を常に携行出来るとは限らない。袋体を単体で使用する機会は日常多くあるため、改善が望まれている。
【０００５】
そこで本発明は、上記の問題を解消するために、袋体の内部に、板紙を収容することにより、袋体の形状を安定させて単体での収容を可能とし、同時に袋体を保護する中敷きを提供することを課題とする。
【０００６】
【課題を解決するための手段】
以上の課題を解決するために、本発明は、袋体となるプラスチックフイルムの内部に、所定形状に打ち抜かれた板紙を箱形形状に構成して中敷きとして収容することにより、袋体の形状を安定させて袋体を保護する組立式箱形中敷きである。これは、袋体がフイルム状で軟質のため自立が困難であり破損しやすいためである。
【０００７】
このように構成された本発明においては、板紙には、少なくともその一面に防水処理が施され、液体を留置することを可能とする加工がなされても良い。また、本発明においては、板紙には、液体の吸収を可能とする組成で構成しても良い。さらに、本発明においては、板紙には、防臭及び防腐を可能とする成分を添加又は添付しても良い。これは、袋体をごみの収容目的等に使用した場合の、袋体の保護に加えて、ごみ汁等の留置及び吸収、又は、腐敗等による防臭及び防腐等に配慮しているためである。
【０００８】
【発明の実施の形態】
以下、本発明の実施例の一形態について、図に基づいて説明するが、本発明は、これらに限定されるものではない。
【０００９】
先ず、図１乃至図３により、本発明の実施例の一形態である組立式箱形中敷きの概要を説明する。図１は本発明の実施例の一形態を示す板紙を組みたてて袋体に収容された中敷きの斜視図である。図２は板紙の内側平面図である。図３は板紙の外側平面図である。
【００１０】
組みたてて中敷き１０となる板紙１は、紙製であるために通常の一般ごみとして処分できる。板紙１は、例えば、再生紙等を使用し製造コストの低減を図るものであって、古紙名称で分類されるケント、切り茶、上台紙、ボール等から作られる適当な強度を持つものであり、加工コストの低減から図２に詳細するように平面形状は単純な長方形である。
【００１１】
そして、図２に詳細するように、板紙１は、プレス加工等により折り曲げを可能とする折り目６が入れられたものであり、図１のように、箱状にした時の底面３と側面８を形成するように折り目６を形成して組みたてする。
【００１２】
また、組みたて前の板紙１の梱包形態としては、取り扱いサイズに配慮して三つ折りの形状であるのが好ましい。
【００１３】
組みたて後、底になる底面３のかどの四方は、図３に詳細するように、直角のためかどになって袋の破損につながるので、これを防ぐためにコーナー５を貼っても良い。コーナー５は、円形又はかど丸四角形状の紙又は樹脂シートで作られ板紙１と同材又は袋体の破損を防止できる素材で作られる。コーナー５は、図３に詳細するように、接着面９があり後付けで貼っても良い。これは組立時の配慮と、取り扱いサイズの梱包形態及びコーナー材料の選択による厚さと硬さに配慮したものである。
【００１４】
袋体となるプラスチックフイルム２は、ポリエチレン、ポリプロピレン、ポリスチレン等の合成樹脂からなり、透明色、半透明色、不透明色等あるが、本発明の袋体は全てを含むものである。
【００１５】
また、図３の４は袋体２の形状を保持するための両面テープ又は粘着テープで、７は組立時の底面３の位置決めに使用する両面テープ又は粘着テープであり使用者の判断で使用を決めることが好ましい。これは、大量に収容物を収容する場合には、固定しないほうが良い場合があるから別添えとすることが好ましい。
【００１６】
尚、ごみ処理用として使用する４５リットルサイズのポリエチレン袋の場合、中敷き１０の底面３は新聞紙四つ折りの寸法である。これは、利用者が中敷き１０となる底面３の板紙１の上又は下に新聞紙を敷く場合を想定した寸法であり、従来の技術から転用したものである。
【００１７】
本発明の実施例の一形態では、袋体となるプラスチックフイルム２は、はじめに、板紙１を組みたてて箱体となる中敷き１０の収容で安定した形状を保持して自立した容器となり、その後、収容した収容物の重量により緩やかに変形して袋体２を保護しつつ、収容可能な容量までの集積ができる。
【００１８】
また、図１の実施例の一形態では、中敷き１０の側面８になる部分は二方向であるが、他の実施形態として、別添えの板紙を他の二方向に入れて側面四方向を保護したものであれば袋体の保護としての補強効果が増大される。
【００１９】
尚、板紙１には、少なくともその一面に非透水性の合成樹脂フイルムのラミネート、防水紙貼り、樹脂又は防水材のコーティング、又は、紙のプレス等による防水処理を施し、生ごみ等を収容する場合のドリップに配慮するために液体を留置することを可能とする加工がなされても良い。
【００２０】
また、板紙１に、高分子吸収ポリマーなどの吸収剤や海綿体構造等の液体の吸収を可能とする成分を塗布したり、積層したりして、生ごみ等を収容する場合のドリップを吸収するために配慮したものでも良い。
【００２１】
さらに、板紙１に、活性炭などの防臭剤やクレゾールなどの防腐剤並びに揮発性アルコールの芳香剤などの防臭及び防腐を可能とする成分を添加又は添付して、ごみ等を収容する場合の腐敗臭を低減するために配慮したものでも良い。
【００２２】
加えて、外側となる側面８に印刷による表示及び美観に配慮したものやカラスなどの鳥害を予防するために配慮した装飾等は組立式中敷き１０を使用する価値を広げるものである。
【００２３】
【発明の効果】
以上説明したように、袋体となるプラスチックフイルムの内部に、所定形状に打ち抜かれた板紙を、箱形形状に構成した中敷きとして収容することにより、本来、自立が困難であったフイルム状の袋体を自立させて安定させることができる。このことで、袋体が自立した容器となり、単体での使用が可能となると同時に、袋体を保護するものとなる。
【００２４】
特に、袋体となるプラスチックフイルムの一つであるごみ用として使用するポリエチレン袋では、専用のごみ容器を設置することなく、いつでも場所を選ばず安価で簡易にごみ容器となるため大変便利である。しかもそのままごみの収集に出せることで、ごみ出しの煩雑さや煩わしさ、作業の短縮化が図れる。
【００２５】
尚、本発明の利用形態を例記すると以下の様です。
１、  専用ごみ容器を設置するスペースがなくそのまま使用するとき。
２、  専用ごみ容器がないところにごみ容器として使用するとき。
３、  専用ごみ容器の不足のためごみ容器として使用するとき。
４、  生ごみ等を含む液体の流出を予防して使用するとき。
５、  重量のある物品を袋体に収容するとき。
６、  袋体の破損を予防して使用するとき。
７、  袋体を自立させて使用するとき。
８、  収容後、収納目的等でその箱形形状を利用するとき。
【図面の簡単な説明】
【図１】本発明の実施例の一形態を示す板紙を組みたてて袋体に収容された中敷きの斜視図である。
【図２】本発明の実施例の一形態を示す板紙の内側平面図である。
【図３】本発明の実施例の一形態を示す板紙の外側平面図である。
【図４】従来の袋体を単体で使用した形態を示す。
【符号の説明】
１  板紙
２  袋体となるプラスチックフイルム
３  底面
４  両面テープ又は粘着シート
５  コーナー
６  折り目
７  両面テープ又は粘着シート
８  側面
９  接着面
１０  中敷き
【図１】
2004224549.tif 000003
【図２】
2004224549.tif 000004
【図３】
2004224549.tif 000005
【図４】
2004224549.tif 000006